(57)【要約】【課題】光ファイバに引張り荷重が掛かった場合でも光の伝送損失を低減する光コネクタブーツを提供する。【解決手段】筒形状を有する第１被覆部３１と、筒形状を有し、第１被覆部３１に隣接される第２被覆部３２と、第１被覆部３１と第２被覆部３２とを揺動自在に一体連結する一対の第１連結部３３とからなる単位構造体３０を光ファイバ５０の軸方向に沿って複数個隣接配置し、、隣合う単位構造体３０同士の第１被覆部３１と第２被覆部３２とを一対の第２連結部３４を介して一体に形成し、一対の第１連結部３３を挟んで両側に第１連結部３３から外周側に向けて次第に拡開する一対のスリット３５を形成する。【選択図】図１
2008145783.tif 000002
【特許請求の範囲】
【請求項１】
筒形状を有し、内部に形成される挿通孔に複数の光ファイバが挿通される第１被覆部と、
筒形状を有し、内部に形成される挿通孔に複数の光ファイバが挿通される第２被覆部と、
該第１被覆部と該第２被覆部を揺動自在に一体連結する第１連結部と、
で構成される単位構造体と、
筒形状を有し、前記第１被覆部または前記第２被覆部と一体に形成される固定部とを備え、
前記単位構造体を光ファイバの軸方向に沿って複数個隣接し、
隣合う該単位構造体の間にて、一方の単位構造体の第１被覆部と他方の単位構造体の第２被覆部を第２連結部を介して、揺動自在に一体に連結し、
前記１連結部を挟んで、該第１連結部から外周に向けて次第に拡開する一対のスリットを形成し、
前記第２連結部を挟んで両側に、該第２連結部から外周に向けて拡開する一対のスリットを形成したことを特徴とする光コネクタブーツ。
【請求項２】
前記第１連結部が幅広側壁を連結し、前記第２連結部が幅狭側壁を連結することを特徴とする請求項１記載の光コネクタブーツ。
【請求項３】
前記幅広側壁に形成されるスリットがＶ字形状であることを特徴とする請求項１、または請求項２記載の光コネクタブーツ。
【請求項４】
区画枠を単位構造体の端部に有し、該区画枠の内部は、該区画壁により複数の挿通孔に区画されていることを特徴とする請求項１〜３のいずれか１項記載の光コネクタブーツ。
【請求項５】
前記区画壁が前記第１連結部の延在方向に沿って複数個形成されたことを特徴とする請求項４の光コネクタブーツ。
【請求項６】
請求項１〜５のいずれか１項記載の光コネクタブーツにおいて、
前記幅広側壁の壁面が延在する方向を光ファイバの主たる曲げ方向となるようにして、前記光コネクタブーツを光機器に取付けることを特徴とする光コネクタブーツの取付け構造。
【発明の詳細な説明】
【技術分野】
【０００１】
本発明は、光コネクタのブーツ、およびブーツの取付け構造に関する。
【背景技術】
【０００２】
従来から、光ファイバを各種装置に接続する際に光コネクタが多用されている。そして、光コネクタと光ファイバとの接続部分には、光ファイバが湾曲する際に増大する側圧によって生じる光の伝送損失を低減するため、光コネクタブーツが装着されている。
【０００３】
この種の従来技術に関連する光コネクタブーツが、特許文献１に記載されている。図１１は、この従来の光コネクタブーツの概要を示す模式図で、（ａ）は光コネクタブーツに荷重が掛かっていない状態、（ｂ）は光コネクタブーツの図面右下方に向かって荷重が掛かっている状態をそれぞれ示している。
【０００４】
図１１（ａ）に示すように、光コネクタブーツ１０１には所定のピッチＰでスリット１３５が形成されている。このスリット１３５は、光コネクタブーツ１０１の長さ方向と直交し、且つ外側へ対称に開口する二個で一対のスリット１３５が複数対形成されている。また、スリット１３５は連結部１３３を底とすると深さ方向に一定の幅で形成されている。
【０００５】
光ファイバ（図示せず）がコネクタプラグ（図示せず）に連結され、所定の装置に固定されると光ファイバはその自重によって下方へ湾曲してしまうが、光コネクタブーツ１０１を装着することによって、このときの曲率半径を大きくし、側圧を低減している。
【０００６】
そして、光コネクタブーツ１０１は、光ファイバ（図示せず）に装着され、コネクタプラグ（図示せず）に組付けられると、光ファイバ（図示せず）の自重によって、図１１（ｂ）の破線に示すように光コネクタブーツ１０１は下方へ緩やかに湾曲する。
【特許文献１】特開平８−１２２５６７号公報
【発明の開示】
【発明が解決しようとする課題】
【０００７】
しかしながら、上記従来例の光コネクタブーツでは、スリットの深さ方向に対してスリットの幅が一定なので、光ファイバへ光コネクタの着脱方向に対して９０度の向き（図面の下方）に引張り荷重が掛かった場合に、図１１（ｂ）の破線で示される形状には湾曲せずに、実線で示すように、スリット１３５連結部１３３で剪断方向にずれてしまい、急角度で光ファイバが曲げられて、側圧が増大し、光の伝送損失が大幅に増大してしまうという問題があった。
【０００８】
そこで本発明は、上記した従来技術が有するこのような問題点に鑑みてなされたもので、光ファイバの配索方向に対して９０度の向きに引張り荷重が掛かった場合でも、所定の部位で屈曲し、全体として緩やかに湾曲することで、光ファイバの曲がりを緩やかにし、光の伝送損失を低減することができる光コネクタブーツを提供することを目的とする。
【課題を解決するための手段】
【０００９】
上記目的を達成する請求項１の発明は、筒形状を有し、内部に形成される挿通孔に複数の光ファイバが挿通される第１被覆部と、筒形状を有し、内部に形成される挿通孔に複数の光ファイバが挿通される第２被覆部と、該第１被覆部と該第２被覆部を揺動自在に一体連結する第１連結部と、で構成される単位構造体と、筒形状を有し、前記第１被覆部または前記第２被覆部と一体に形成される固定部とを備え、前記単位構造体を光ファイバの軸方向に沿って複数個隣接し、隣合う該単位構造体の間にて、一方の単位構造体の第１被覆部と他方の単位構造体の第２被覆部を第２連結部を介して、揺動自在に一体に連結し、前記１連結部を挟んで、該第１連結部から外周に向けて次第に拡開する一対のスリットを形成し、前記第２連結部を挟んで両側に、該第２連結部から外周に向けて拡開する一対のスリットを形成したことを特徴とする光コネクタブーツである。
【００１０】
請求項２の発明は、前記第１連結部が幅広側壁を連結し、前記第２連結部が幅狭側壁を連結することを特徴とする請求項１記載の光コネクタブーツである。
【００１１】
請求項３の発明は、前記幅広側壁に形成されるスリットがＶ字形状であることを特徴とする請求項１、または請求項２記載の光コネクタブーツである。
【００１２】
請求項４の発明は、区画枠を単位構造体の端部に有し、該区画枠の内部は、該区画壁により複数の挿通孔に区画されていることを特徴とする請求項１〜３のいずれか１項記載の光コネクタブーツである。
【００１３】
請求項５の発明は、前記区画壁が前記第１連結部の延在方向に沿って複数個形成されたことを特徴とする請求項４の光コネクタブーツである。
【００１４】
請求項６の発明は、請求項１〜５のいずれか１項記載の光コネクタブーツの取付け構造において、前記幅広側壁の壁面が延在する方向を光ファイバの主たる曲げ方向となるようにして、前記光コネクタブーツを光機器に取付けることを特徴とする光コネクタブーツの取付け構造である。
【発明の効果】
【００１５】
請求項１の発明によれば、一対のスリットによる開口部が、第１連結部を挟んで側壁の外側に向かって次第に拡開する対象な形状であるため、挿通孔に挿通される複数の光ファイバの曲りの中心が第１連結部の中央部分となるように屈曲し、全体として光ファイバコネクタブーツを所定の曲がり径以上で湾曲させることができる。これにより、光ファイバに対して局所的な過度の剪断力が発生しなくなるため、光ファイバの曲がりを緩やかにできる。その結果、光の伝送損失を低減させることができる。
【００１６】
請求項２の発明によれば、拡開するスリットを幅広側壁に形成することにより、光コネクタブーツが幅広側壁の壁方向に沿う方向に屈曲してもスリットの開口部により、光ファイバに加わる曲げ力が分散して、光の伝送損失を低減させることができる。
【００１７】
請求項３の発明によれば、スリットがＶ字形状であることにより、スリットの開口部で曲がり易さと、曲げ力の分散効果をより高めることができるばかりか、光コネクタブーツの最大の曲がり量がＶ溝の辺で規定されるから過度の屈曲を防止できる。
【００１８】
請求項４の発明によれば、光コネクタブーツ後端部に区画壁を有する区画枠を設けて、挿通孔を区画することにより、収納する光ファイバの本数が増大しても、挿通孔内で光ファイバの配列の乱れが生ずることを防止できる。
【００１９】
請求項５の発明によれば、区画壁を第１連結部の延在方向に沿って複数個形成することにより、光ファイバが挿通されるルートを明確にして、光ファイバの積層配列状態を安定させることができる。
【００２０】
請求項６の発明によれば、ケースを光機器に取付ける際に、拡開されたスリットが形成された幅広側壁の壁面の延在する方向（壁面の延在方向）をケースから延出する光ファイバが主に曲がる方向、つまり光コネクタブーツが主に屈曲する方向に合わせることにより、ブーツ内に複数本挿通される光ファイバの曲がりを緩やかにできる。これにより、収容された複数の光ファイバに対して局所的な曲がりや、内部の配線乱れの発生を防止できるから、光コネクタブーツを光機器に多数設置した場合でも、光伝送損失の発生を防止することができる。
【発明を実施するための最良の形態】
【００２１】
以下、本発明の実施の形態に係る光コネクタブーツの詳細を図面に基づいて説明する。図１〜図８は本発明の一実施形態を示し、図１は光コネクタブーツを使用した状態を示す構成概要図、図２は光コネクタブーツの斜視図、図３は光コネクタブーツの一部断面を示す正面図、図４は光コネクタブーツの一部断面を示す下面図、図５は光コネクタブーツの右側面図、図６は光コネクタブーツの左側面図、図７は光コネクタブーツの働きを示す概念図で（ａ）は荷重が掛かる前の状態図、（ｂ）は荷重が掛かった状態図、図８は図１のＡ−Ａ線に沿った断面図で、光コネクタブーツを用いた評価試験で計測する光ファイバの位置を示し、図９は汎用光ファイバに関する評価試験の計測結果で、（ａ）は入力される光の波長が１３１０ｎｍの場合の計測結果、（ｂ）は入力される光の波長が１５５０ｎｍの場合の計測結果、（ｃ）は入力される光の波長が１６５０ｎｍの場合の計測結果で、図１０は曲げ損失の少ない光ファイバに関する評価試験の計測結果で、（ａ）は入力される光の波長が１３１０ｎｍの場合の計測結果、（ｂ）は入力される光の波長が１５５０ｎｍの場合の計測結果、（ｃ）は入力される光の波長が１６５０ｎｍの場合の計測結果である。
【００２２】
光コネクタブーツ１とは、柔軟な樹脂で一体成型された光ファイバを保護するための筒状の部品である。図１に本実施形態の光コネクタブーツ１を示す。図中、光ファイバ５０の先端に、ＳＣコネクタプラグ等の光コネクタプラグ５０ａが取付けられている方向を後端側（紙面上側）、スプリッタケース５１側（紙面下側）とする。
【００２３】
スプリッタケース５１は、内部にスプリッタ等の光部品と光ファイバ余長を収納する。スプリッタケース５１は両側部５１ａ，５１ａにより光配線盤等の光機器類のパネルに係止される。スプリッタケース５１のフロント面５１ｂからは、複数本の光ファイバ５０がフロント面５１ｂに取付けられた光コネクタブーツ１，１，１ａの内部を経由して取出される。
【００２４】
複数本の光ファイバ５０は、それぞれ、複数本の光ファイバ５０を収納できる多心用の光コネクタブーツ１，１と、１本の光ファイバ５０を収納できる単心用の光コネクタブーツ１ａに振分けられて収納されている。多心用の光コネクタブーツ１，１の内部は、区画壁３８（連結部）によって２つの光ファイバ挿通路に仕切られている。本実施形態では、各光ファイバ挿通路には８本の光ファイバ５０が収納されている。８本の光ファイバ５０は、横並びで４列（紙面左右方向、紙面に沿って光ファイバ５０引出し方向とは垂直な方向）に並べられ、２層（紙面垂直方向）に積重ねられている。したがって、１個の多心用の光コネクタブーツ１は１６本の単心光ファイバ５０を整列収納する。５２は、コードクランプであり、光ファイバ５０を整列固定する部品である。
【００２５】
次に、図２、図３および図４に基づき、光コネクタブーツ１の構造について説明する。本実施形態の光コネクタブーツ１は、角形の固定部１０と湾曲部２０とにより構成される。光コネクタブーツ１の外観は、全体として角形で蛇腹状をなし、光コネクタプラグ５０ａ側に向かって次第に先細り形状をなしている。各図において、光コネクタブーツ１の向い合った側壁は対称であり、同一形状である。また、側壁３０ａの幅（図３、紙面上下方向）は、側壁３０ｂの幅（図４、紙面上下方向）よりも広い。したがって、以下、側壁３０ａを幅広側壁と呼び、側壁３０ｂを幅狭側壁と呼ぶ場合がある。
【００２６】
固定部１０は、平板状の４枚の側壁で構成されており、上下面（図３、紙面垂直方向）には２箇所の係止孔１１、１１が形成されている。固定部１０は、後述する湾曲部２０の枠体に連続している。光コネクタブーツ１をコードクランプ５２に被せ、２箇所の係止孔１１、１１に固定部１０の内部に収納されたコードクランプ５２の係合突起（図示せず）を係合させることにより、コードクランプ５２と光コネクタブーツ１が固定される。コードクランプ５２はスプリッタケース５１に固定されているため、光コネクタブーツ１とケース５が固定される。
【００２７】
次に、湾曲部２０について説明する。湾曲部２０は、固定部１０と連続して形成されており、光コネクタプラグ５０ａ側に向かって次第に小さくなる複数の単位構造体３０、…３０の集合である。各単位構造体３０は、枠体をなす第１被覆部３１と第２被覆部３２が連結された中空の角筒形状をなし、その内部は光ファイバ５０が挿通される挿通孔３９をなしている。単位構造体３０の側壁は連結部３３，３４によって光ファイバ５０挿通方向（光コネクタブーツ１内部に挿通される光ファイバ５０の方向）に沿って連結されている。
【００２８】
以下、さらに詳細に説明する。単位構造体３０の第１被覆部３１および第２被覆部３２は、幅広側壁３０ａ，３０ａと幅狭側壁３０ｂ，３０ｂに囲まれた枠体をなしている。
【００２９】
第１被覆部３１の幅広側壁３０ａと、同一の単位構造体内の向い合った第２被覆部３２の幅広側壁３０ａが第１連結部３３によって連結されている。連結される位置は幅広側壁３０ａの幅方向（図３、紙面上下方向）の側壁の中央に位置する連結域３１ａ，３２ａである。
【００３０】
第１被覆部３１と第２被覆部３２は、幅方向（同上）において、中央に向かって次第に横幅（図３、紙面左右方向）が広くなっており、これら第１被覆部３１と第２被覆部３２の横幅が最大となる部分、すなわち第１被覆部３１と第２被覆部３２が最も接近した部分が連結域３１ａ，３２ａとなる。第１連結部３３はこの連結域３１ａ，３２ａを連結する。これにより、第１被覆部３１と第２被覆部３２、および第１連結部３３とによってＶ字形状の第１スリット３５が形成される。
【００３１】
第１スリット３５は、第１連結部３３を中心にして両側（図３、紙面上下方向）に対称であり、幅広側壁３０ａの外周に向けて次第に開口する、ブーツ壁の内外を貫通する開口部をなしている。この開口部から光ファイバ５０が露出する。これに対して、図４では、第１被覆部３１の幅狭側壁３０ｂと、隣接する別の単位構造体３０の幅狭側壁３０ｂが第２連結部３４によって連結されている。連結される位置は、幅狭側壁３０ｂの幅方向（図４、紙面上下方向）の中央に位置する連結域３１ｂと連結域３２ｂである。第２連結部３４は、連結域３１ｂと連結域３２ｂを連結する。幅狭側壁３０ｂを構成する第１被覆部３１と第２被覆部３２は横幅（図４、紙面左右方向）が一定である。第１被覆部３１と第２被覆部３２、および第２連結部３４とによってコ字形状の第２スリット３６が形成される。
【００３２】
第２スリット３６は、第２連結部３４を中心にして両側（図４、紙面上下方向）に対称であり、ブーツ壁の内外を貫通する開口部をなしている。この開口部から光ファイバ５０が露出する。言い換えると、光コネクタブーツ１の角筒を形成する縦横の側壁の一方に第１連結部３３が形成され、他方に第２連結部３４が交互に形成されていることになる。
【００３３】
光コネクタブーツ１の光コネクタプラグ５０ａ側後端部には、第２被覆部３２と連結部３４によって連結された区画枠３７が配置される。挿通孔３９の内部は、区画枠３７に設けられた区画壁（連結部）３８により、挿通孔３９ａと挿通孔３９ｂの２つに区画される。これら挿通孔３９ａ，３９ｂの断面は同じ形状である。区画壁（連結部）３８は、幅広側壁３０ａの幅方向中央にて、向い合った幅広側壁３０ａ，３０ａを連結する部材であり、光コネクタブーツ１の長手方向に沿って第１連結部３３が延在する線上に位置する。つまり、光コネクタブーツ１の中央に位置する。区画壁３８の位置は、光コネクタブーツ１の後端に位置する区画枠３７のみに設けても良いし、複数、あるいは全ての連結部の直下に設けても良い。区画壁３８の数を増やすことにより、光ファイバ５０が挿通されるルートを明確にして、光ファイバ５０の積層配列を安定させることができる。
【００３４】
図５は、光コネクタブーツ１を後端側から見た右側面図、図６は光コネクタブーツ１を先端側から見た左側面図である。
【００３５】
光コネクタブーツ１の外径を光コネクタプラグ５０ａ側に向かって先細り形状にするために、幅広側壁３０ａと幅狭側壁３０ｂの幅は、スプリッタケース５１から光コネクタプラグ５０ａ側に向かって次第に細くなっている。本実施形態の光コネクタブーツ１では、幅広側壁３０ａの肉厚は不変であるが、幅狭側壁３０ｂの肉厚は次第に薄くなるように形成されている。したがって、挿通孔３９，３９ａ，３９ｂの内径は、紙面上下方向では変わらないが、左右方向では狭くなっている。ただし、挿通孔３９，３９ａ，３９ｂの内径変化や側壁の肉厚変化は本実施形態には限定されない。
【００３６】
直径２ｍｍの心線に被覆を被せた１６本の光ファイバ５０を光コネクタブーツ１に挿通し、光コネクタブーツ１を曲げた際の光損失変動を所定値以下（汎用光ファイバ（ＳＭファイバ）の場合１．０ｄＢ以下、曲げ損失の少ない光ファイバ（ＳＲ１５ファイバ）の場合０．１ｄＢ以下）にするには、光コネクタブーツ１を曲げた状態で最も曲率半径が小さくなる位置での仮想円の半径を１５ｍｍ以上にすればよいことが計算により算出されている。そこで、光コネクタブーツ１の各部について、図７（ａ）、（ｂ）に示すように、上下方向の寸法ａ、第２連結部３４によって連結される第１被覆部３１と第２被覆部３２の長手方向の寸法ｂ、第１スリット３５のスリット幅ｘ、光コネクタブーツ１の全長Ｌ、光コネクタブーツ１を曲げた状態で最も曲率半径が小さくなる位置での仮想円の半径ｒとすると、寸法ａ＝２６ｍｍ、寸法ｂ＝３．３ｍｍ、スリット幅ｘ＝２．８ｍｍ、全長Ｌ＝４８．８ｍｍとすることで、光コネクタブーツ１を湾曲させた状態で仮想円の半径ｒ＝１５．３ｍｍとなる。
【００３７】
次に、この寸法で光コネクタブーツ１の評価サンプルを作成し、評価試験を実施した。なお、評価サンプルは、ポリエステル・エラストマ（東レ・デュポン社、商品名ハイトレル７２３７Ｆ）によって一体に形成されている。評価試験の内容は、鉛直方向下向き（図８中Ｙ方向）に引張り荷重を加える。引張り荷重の大きさは２５０ｇ、５００ｇ、７５０ｇとする。測定する光の波長は１３１０ｎｍ、１５５０ｎｍ、１６５０ｎｍとする。以上の各試験パターンで、上記汎用光ファイバと曲げ損失の少ない光ファイバについて光損失変動を計測した。図９（ａ）〜（ｃ）は汎用光ファイバの光損失変動の計測結果、図１０（ａ）〜（ｃ）は曲げ損失の少ない光ファイバの光損失変動の計測結果であり、それぞれ図８に示される各位置の光ファイバ５０の各位置に対応している。
【００３８】
図９（ａ）〜（ｃ）、図１０（ａ）〜（ｃ）の評価試験結果から、発明品の構成で計算通りに光損失変動を所定値以下に低減できることが確認された。これは、発明品では第１連結部３３が第１スリット３５で挟まれた最狭部分になることに起因している。つまり、引張り荷重が加わっても、第１連結部３３は剪断方向にずれることなく、その位置で屈曲するので、光コネクタブーツ１は設計通りの仮想円を描き、光損失変動が所定値以下に低減される。
【００３９】
しかしながら、図１１に示す従来形状の光コネクタブーツ１０１では、上記の各寸法（ａ、ｂ、ｘ、Ｌ）を一致させても、光損失変動を低減することができない。これは、スリット１３５の形状がいわゆるＶ字溝形状ではなく一定幅形状であるため、連結部１３３が長さｘの梁形状になってしまうことに起因している。つまり、連結部１３３が梁形状になることにより、引張り荷重が加わると、連結部１３３が剪断方向へ屈曲する（図１１（ｂ）の実線参照）ため、設計通りの仮想円よりも小さい曲率で曲げられる部位が生じ、光損失変動が増大してしまう。
【００４０】
以上のことから、本実施形態の光コネクタブーツ１は、第１連結部３３を挟んで、第１スリット３５が外側に向けて次第に拡開するいわゆるＶ字溝形状のため、第１連結部３３で屈曲し、全体として光コネクタブーツ１が所定の仮想円を描きつつ円弧状に湾曲するため、剪断方向にずれることなく、光ファイバの曲がりを緩やかにして、光の伝送損失を低減することができる。
【００４１】
また、第１スリット３５の開口部が大きく、曲げやすくなるため、取扱いが容易になるとともに、想定以上の曲げが加わることが無くなる。
【００４２】
光コネクタブーツ１は、先端側から後端側にかけて、内径が一定のまま外径が縮小することで、光コネクタブーツ１が後端側に向かって徐々に薄く、曲がりやすくなり、光ファイバ５０の湾曲に沿って曲がるため、光コネクタブーツ１の後端部分で光ファイバ５０に掛かる側圧を低減することができる。
【００４３】
挿通孔３９を上下方向に区画する区画壁３８を有することで、上下方向に積み重ねられる光ファイバ５０の段数が減少し、最下段に掛かる側圧が低減される。なお、挿通孔３９を幅方向に区画する区画壁（図示せず）を形成した場合には、上方の光ファイバの配列が崩れなくなるため、配列が崩れることによる側圧の発生を防止することができる。
【００４４】
第１スリット３５と第２スリット３６とを設けたことによって、光コネクタブーツ１が湾曲しやすくなり、光ファイバ５０に掛かる側圧を低減することができる。
【００４５】
周方向に９０度間隔で第１連結部３３と第２連結部３４が交互に配置されることにより、光コネクタブーツ１が湾曲しやすくなり、光ファイバ５０に掛かる側圧を低減することができる。
【００４６】
光コネクタブーツ１を角筒形状に形成することで、特定の方向へ屈曲しやすくなり、予期せぬ方向への屈曲が少なくなるので、挿通孔３９内で側圧の影響を受けやすい光ファイバ５０を特定することができ、対策が容易になる。
【００４７】
角形に形成された多心用の光コネクタブーツ１で収容する光ファイバ５０の配列が縦横で本数が異なる場合には、光コネクタブーツ１の曲がり易さに方向性が生じる。たとえば、本実施形態の光コネクタブーツ１では、幅狭側壁３０ｂ，３０ｂ間の方向には光ファイバ５０が並列に８本並べられ、幅広側壁３０ａ，３０ａ間の方向には、２本配列されている。したがって、幅広側壁３０ａの延在方向（壁に沿った方向）は曲がり難く、これとは垂直な方向である幅狭側壁３０ｂの延在方向は曲がりやすい。
【００４８】
本発明は、幅広側壁３０ａに第１スリット３５を形成することにより曲がり難い幅広側壁３０ａに沿った方向に対する屈曲自由度を向上させる。また、第１スリット３５が大きく開口することにより、光ファイバ５０が側壁に拘束させる面積を少なくすることができるから、光コネクタブーツ１だけでなく光ファイバ５０の曲げ自由度が向上させて局部的な曲げ応力の発生を防止することができる。また、内部を区画することによって、光ファイバ５０の積層状態を安定させることができる。
【００４９】
本実施形態は、幅狭側壁３０ｂに形成される第２スリット３６は幅狭側壁３０ｂの壁に沿った方向は曲がりやすいため拡開した形状ではなくコ字型であるが、これには限定されず、拡開する形状であっても良い。光コネクタブーツ１を、スプリッタケース５１、光配線盤（図示せず）、光配線架（図示せず）、キャビネット（図示せず）、光配線ボックス（図示せず）等の光ファイバ５０が固定枠から延出する光機器に取付けた際に、光コネクタブーツ１は所定の方向に曲げられる。たとえば、光ファイバ５０の自重により鉛直方向直下に垂れ下がる。この方向を主たる曲げ方向とすれば、光コネクタブーツ１の幅広側壁３０ａの壁に沿った方向（壁方向）を光ファイバ５０に加わる曲げ加重を緩和させることができる。ただし、光ファイバ５０の折れ曲がり方向は、光ファイバ５０配線の取り回しにより、鉛直方向には限定されないから、幅広側壁３０ａの取付け方向は光ファイバ５０の予想される最も折れ曲がり角度の大きな方向（主たる方向）に沿ったものとなる。
【図面の簡単な説明】
【００５０】
【図１】本願発明の一実施形態を示す光コネクタブーツを使用した状態を示す構成概要図である。
【図２】本願発明の一実施形態を示す光コネクタブーツの斜視図である。
【図３】本願発明の一実施形態を示す光コネクタブーツの一部断面を示す正面図である。
【図４】本願発明の一実施形態を示す光コネクタブーツの一部断面を示す下面図である。
【図５】本願発明の一実施形態を示す光コネクタブーツを示す右側面図である。
【図６】本願発明の一実施形態を示す光コネクタブーツを示す左側面図である。
【図７】本願発明の一実施形態を示す光コネクタブーツの概念を示す模式図で、（ａ）は荷重が掛かる前の状態図、（ｂ）は荷重が掛かった状態図である。
【図８】図１のＡ−Ａ線に沿った断面図で、本願発明の一実施形態を示す光コネクタブーツを用いた評価試験で計測する光ファイバの位置を示している。
【図９】汎用光ファイバに関する本願発明の一実施形態を示す光コネクタブーツを用いた評価試験の計測結果で、（ａ）は入力される光の波長が１３１０ｎｍの場合の計測結果、（ｂ）は入力される光の波長が１５５０ｎｍの場合の計測結果、（ｃ）は入力される光の波長が１６５０ｎｍの場合の計測結果である。
【図１０】曲げ損失の少ない光ファイバに関する本願発明の一実施形態を示す光コネクタブーツを用いた評価試験の計測結果で、（ａ）は入力される光の波長が１３１０ｎｍの場合の計測結果、（ｂ）は入力される光の波長が１５５０ｎｍの場合の計測結果、（ｃ）は入力される光の波長が１６５０ｎｍの場合の計測結果である。
【図１１】従来の光コネクタブーツの概念を示す模式図で、（ａ）は光コネクタブーツに荷重が掛かる前の状態図、（ｂ）は荷重が掛かった状態図である。
【符号の説明】
【００５１】
１…光コネクタブーツ
１０…固定部
３０…単位構造体
３１…第１被覆部
３２…第２被覆部
３３…第１連結部
３４…第２連結部
３５…第１スリット（スリット）
３８…区画壁
３９…挿通孔
５０…光ファイバ
５２…コードクランプ（配索部位）
５２ａ…後端部
ｄ１…内径
ｄ２…外径
【図１】
2008145783.tif 000003
【図２】
2008145783.tif 000004
【図３】
2008145783.tif 000005
【図４】
2008145783.tif 000006
【図５】
2008145783.tif 000007
【図６】
2008145783.tif 000008
【図７】
2008145783.tif 000009
【図８】
2008145783.tif 000010
【図９】
2008145783.tif 000011
【図１０】
2008145783.tif 000012
【図１１】
2008145783.tif 000013